(57)【要約】【課題】器具本体が幅方向に長くなるのを抑えた照明器具を提供する。【解決手段】器具本体１は、天井材１００と反対側に光源ユニット２を収容するための凹部１３を有する。光源ユニット２は、複数のＬＥＤ２２２が実装された基板２２と、複数のＬＥＤ２２２が器具本体１と反対側を向くようにして基板２２を器具本体１に取り付けるための取付部材２１とを具備する。取付部材２１は、基板２２を支持する底面部２１１と、先端に引掛部２６１ａを有し底面部２１１の幅方向における一端側にスライド自在に延出する係止金具２６とを具備する。凹部１３の幅方向における一端側には、係止金具２６を挿通するための挿通孔２７１ａを有し引掛部２６１ａを挿通孔２７１ａの開口端縁に引っ掛けることで光源ユニット２を仮保持する保持金具２７と、光源ユニット２を器具本体１に取り付ける際に係止金具２６が当接する側面部１２とが設けられている。【選択図】図１
2014179208.tif 000002
【特許請求の範囲】
【請求項１】
造営材に取り付けられる器具本体と、前記器具本体の長手方向と同方向を長手方向とし且つ前記器具本体の幅方向と同方向を幅方向とした状態で前記器具本体に着脱自在に取り付けられる光源ユニットとを備え、
前記器具本体は、前記造営材と反対側に前記光源ユニットの少なくとも一部を収容するための凹部を有し、
前記光源ユニットは、複数の発光素子が実装された基板と、前記複数の発光素子が前記器具本体と反対側を向くようにして前記基板を前記器具本体に取り付けるための取付部材とを具備し、
前記取付部材は、前記基板を支持するベースと、先端に引掛部を有し前記ベースの幅方向における一端側にスライド自在に延出する係止金具とを具備し、
前記凹部の幅方向における一端側には、前記係止金具を挿通するための挿通孔を有し前記引掛部を前記挿通孔の開口端縁に引っ掛けることで前記光源ユニットを仮保持する保持金具と、前記光源ユニットを前記器具本体に取り付ける際に前記挿通孔に挿通させた前記係止金具が当接する当接部とが設けられていることを特徴とする照明器具。
【請求項２】
前記取付部材は、前記係止金具を支持する支持金具を具備し、
前記係止金具は、前記支持金具側に突出する突起部を有し、
前記支持金具は、前記光源ユニットを仮保持させた状態で前記突起部が係合する第１係合孔と、前記光源ユニットを前記器具本体に取り付けた状態で前記突起部が係合する第２係合孔とを有していることを特徴とする請求項１記載の照明器具。
【発明の詳細な説明】
【技術分野】
【０００１】
本発明は、照明器具に関するものである。
【背景技術】
【０００２】
従来より、天井に取り付けられる天井直付け型の照明器具が提供されている（例えば特許文献１参照）。この照明器具は、吊ボルトを用いて天井に直付けされる器具本体と、器具本体に対して着脱自在に取り付けられる光源部とを備え、器具本体の下面側には光源部を収容するための凹部が全長に亘って設けられている。
【０００３】
光源部は、複数の発光素子が実装された基板と、基板を器具本体に取り付けるための取付部材と、複数の発光素子を覆うようにして取付部材に取り付けられるカバー部材とを具備する。取付部材は、長尺且つ矩形板状に形成された底面部と、底面部の幅方向における両端から底面部と直交する方向に延出する一対の側面部とでＵ字状に形成され、各側面部の先端には側方に延出する係止壁が設けられている。また、一方の係止壁の先端には、係止壁と交差する方向に延出する引掛部が設けられている。
【０００４】
器具本体の凹部の一方の側面部には、係止壁を挿通するための挿通孔が設けられ、さらに他方の側面部には、係止壁と係合する係止爪が設けられている。そして、一方の係止壁の引掛部を挿通孔の開口端縁に引っ掛けた状態から、引掛部側を回動中心として光源部を回動させていき、他方の係止壁を係止爪に係合させることで、光源部が器具本体に取り付けられる。
【先行技術文献】
【特許文献】
【０００５】
【特許文献１】特開２０１２−３９９３号公報
【発明の概要】
【発明が解決しようとする課題】
【０００６】
上述の特許文献１に示した照明器具では、光源部を器具本体に取り付けた状態において一方の係止壁が挿通孔を通して側方に延出し、器具本体の内部に収納されるが、係止壁の器具本体側への出代は長く、それゆえ器具本体も幅方向に長くなっていた。
【０００７】
本発明は上記問題点に鑑みて為されたものであり、その目的とするところは、器具本体が幅方向に長くなるのを抑えた照明器具を提供することにある。
【課題を解決するための手段】
【０００８】
本発明の照明器具は、造営材に取り付けられる器具本体と、器具本体の長手方向と同方向を長手方向とし且つ器具本体の幅方向と同方向を幅方向とした状態で器具本体に着脱自在に取り付けられる光源ユニットとを備え、器具本体は、造営材と反対側に光源ユニットの少なくとも一部を収容するための凹部を有し、光源ユニットは、複数の発光素子が実装された基板と、複数の発光素子が器具本体と反対側を向くようにして基板を器具本体に取り付けるための取付部材とを具備し、取付部材は、基板を支持するベースと、先端に引掛部を有しベースの幅方向における一端側にスライド自在に延出する係止金具とを具備し、凹部の幅方向における一端側には、係止金具を挿通するための挿通孔を有し引掛部を挿通孔の開口端縁に引っ掛けることで光源ユニットを仮保持する保持金具と、光源ユニットを器具本体に取り付ける際に挿通孔に挿通させた係止金具が当接する当接部とが設けられていることを特徴とする。
【０００９】
この照明器具において、取付部材は、係止金具を支持する支持金具を具備し、係止金具は、支持金具側に突出する突起部を有し、支持金具は、光源ユニットを仮保持させた状態で突起部が係合する第１係合孔と、光源ユニットを器具本体に取り付けた状態で突起部が係合する第２係合孔とを有しているのが好ましい。
【発明の効果】
【００１０】
本発明の構成によれば、光源ユニットを器具本体に取り付ける際には、係止金具が当接部に当接することで、ベースに対して最も引き出された第１位置から最も引っ込められた第２位置まで移動する。そのため、係止金具を逃がすためのスペースを小さくでき、これにより器具本体が幅方向に長くなるのを抑えることができるという効果がある。
【図面の簡単な説明】
【００１１】
【図１】本実施形態の照明器具を示し、（ａ）は光源ユニットを器具本体に仮保持させた状態の断面図、（ｂ）は光源ユニットを器具本体に取り付けた状態の断面図、（ｃ）は要部拡大図である。
【図２】（ａ）は同上に用いられる光源ユニットの一部省略せる斜視図、（ｂ）は同上に用いられる光源ユニットを器具本体に仮保持させた状態の一部省略せる斜視図である。
【図３】同上に用いられる光源ユニットの分解斜視図である。
【発明を実施するための形態】
【００１２】
以下に、照明器具の実施形態について図１〜図３を参照しながら説明する。なお、以下の説明では特に断りがない限り、図１（ｂ）に示す向きにおいて上下左右の方向を規定し、さらに図１（ｂ）中の紙面に垂直な方向を前後方向（手前側が前側）と規定して説明を行う。
【００１３】
本実施形態の照明器具Ａは、図１（ｂ）に示すように天井直付け型の照明器具であり、吊ボルト（図示せず）を用いて天井材１００（造営材）に取り付けられる器具本体１と、器具本体１に対して着脱自在に取り付けられる光源ユニット２とを備える。
【００１４】
器具本体１は、前後方向（図１（ｂ）中の紙面に垂直な方向）に長い矩形板状に形成された底面部１１と、底面部１１の左右方向（幅方向）における両端から底面部１１と直交する方向に延出する一対の側面部１２とでＵ字状に形成されている。そして、本実施形態では、底面部１１及び両側面部１２，１２で囲まれる空間が凹部１３となる。
【００１５】
底面部１１の上面には、電線を通すための孔（図示せず）を有する突台部１１１と、吊ボルトを通すための孔（図示せず）を有する突台部１１２とが設けられている。また、各側面部１２の先端には、光源ユニット２を器具本体１に取り付けた状態において後述するカバー部材２３が当接する当接部１２１が全長に亘って設けられている。
【００１６】
凹部１３の右側には、端子台（図示せず）が取り付けられ、この端子台と後述する電源装置２４との間が電線により接続される。また、凹部１３の左側には、光源ユニット２を保持するための保持金具２７が取り付けられている。
【００１７】
保持金具２７は、板金に曲げ加工を施すことでＳ字状に形成され、横長且つ矩形の挿通孔２７１ａを有する本体部２７１と、保持金具２７を器具本体１に取り付けるための取付部２７２とで構成される（図２（ｂ）参照）。そして、保持金具２７は、図１（ａ）及び図１（ｂ）に示すように、器具本体１の側面部１２との間に隙間を空けた状態で器具本体１に取り付けられる。
【００１８】
光源ユニット２は、複数（図３では２個）の基板２２と、基板２２が取り付けられる取付部材２１と、基板２２を覆うようにして取付部材２１に取り付けられるカバー部材２３と、基板２２に所定の点灯電力を供給する電源装置２４とを具備する。
【００１９】
基板２２は、前後方向に長い矩形板状に形成されたプリント基板２２１からなり、プリント基板２２１の下面には複数のＬＥＤ２２２（発光素子）が前後方向（長手方向）に沿って実装されている。また、一方（図３中の右側）の基板２２の前端部（図３中の右端部）には、電源装置２４との間を電気的に接続するための電線（図示せず）が接続されたコネクタ２２３が実装されている。
【００２０】
また、各基板２２において隣接する基板２２と対向する端部には、電源供給用のコネクタ２２４が実装されている。そして、両基板２２，２２のコネクタ２２４，２２４を接続することで、一方（図３中の右側）の基板２２から他方（図３中の左側）の基板２２へ点灯電力を供給することができる。
【００２１】
取付部材２１は、板金に曲げ加工を施すことでＵ字状に形成され、前後方向に長い矩形板状に形成された底面部２１１と、底面部２１１の左右方向（幅方向）における両端から底面部２１１と直交する方向に延出する一対の側面部２１２とで構成される。各側面部２１２の先端には、外向き（対向する側面部２１２と反対側の向き）に突出する突部２１２ａが全長に亘って設けられている。
【００２２】
底面部２１１の前端部（図３中の右端部）には、基板２２と電源装置２４の間を電気的に接続する上記電線を通すための孔２１１ａが設けられている。また、底面部２１１の前後方向における中央部には、底面部２１１の一部を上向きに突出させることで形成された矩形の凹部２１１ｂが設けられている。この凹部２１１ｂは、基板２２に実装されたコネクタ２２４と底面部２１１との間の絶縁距離を確保するためのものである。
【００２３】
なお、上述した基板２２は、例えば取付部材２１の底面部２１１の一部を切り起こすことで形成された係止爪（図示せず）により取付部材２１に固定され、本実施形態では底面部２１１によりベースが構成されている。
【００２４】
また、取付部材２１には、光源ユニット２を器具本体１に取り付ける際に用いられる係止金具２６及び係止ばね２８と、係止金具２６を支持するための支持金具２５とが取り付けられている。
【００２５】
係止金具２６は、板金に曲げ加工を施すことでＳ字状に形成され、先端に引掛部２６１ａが設けられた矩形板状の係止部２６１と、係止部２６１の後端からＬ字状に延出する基端部２６２とで構成される。また、基端部２６２の略中央部には、下向き（支持金具２５側）に突出する突起部２６２ａが設けられている。
【００２６】
支持金具２５は、矩形板状に形成された本体部２５１を有し、本体部２５１の右端には、係止ばね２８を保持するための保持部２５３と、係止ばね２８の一方の腕部２８２を係止するための係止部２５２とが一体に設けられている。また、本体部２５１には、本体部２５１の一部を切り起こすことでＬ字状に形成された２個１組の支持片２５１ａ，２５１ａが左右方向に沿って２組設けられている。
【００２７】
各組の支持片２５１ａ，２５１ａは、本体部２５１の前後方向における中心軸に対して線対称となるように形成されており、両支持片２５１ａ，２５１ａの間には溝２５１ｄが設けられている。そして、各組の支持片２５１ａ，２５１ａによる溝２５１ｄ内に係止金具２６の基端部２６２を挿通させることで、係止金具２６が左右方向（図２（ａ）中の矢印Ｂ方向）にスライド自在に支持される。
【００２８】
また、本体部２５１には、係止金具２６の突起部２６２ａが係合する第１係合孔２５１ｂ及び第２係合孔２５１ｃが左右方向に並べて設けられている。そして、係止金具２６が取付部材２１から最も引き出された状態（図１（ａ）に示す状態）では、突起部２６２ａが第１係合孔２５１ｂに係合し、係止金具２６が取付部材２１から最も引っ込められた状態（図１（ｂ）に示す状態）では、突起部２６２ａが第２係合孔２５１ｃに係合する。
【００２９】
係止ばね２８は、線ばねをコイル状に巻回して形成された基端部２８１と、基端部２８１の両端から互いに離れる方向に延設された一対の腕部２８２，２８３とを有する。この係止ばね２８は、基端部２８１が支持金具２５の保持部２５３に保持され、さらに一方の腕部２８２が係止部２５４に係止された状態で支持金具２５に取り付けられる（図２（ａ）及び図２（ｂ）参照）。
【００３０】
カバー部材２３は、拡散性を有する材料（例えば乳白色のアクリル樹脂）により上面（取付部材２１側の面）が開口する長尺状に形成されている（図３参照）。また、カバー部材２３は、左右方向（幅方向）において両端側から中央側に行くほど下側への突出量が大きくなるような凸レンズ形状の拡散面２３１を有している（図１（ｂ）参照）。
【００３１】
さらに、カバー部材２３の左右方向における両端部には、図１（ｂ）に示すように、光源ユニット２を器具本体１に取り付けた状態で、上下方向において器具本体１の当接部１２１と重なる延出部２３２がそれぞれ設けられている。また、カバー部材２３の左右方向において各延出部２３２の内側には、先端に引掛部２３３ａを有し上向き（取付部材２１側）に延出する脚部２３３がそれぞれ全長に亘って設けられている。
【００３２】
電源装置２４は、電源基板２４１と、電源基板２４１を収納するための収納ケース２４２とを具備する。電源基板２４１は、前後方向に長い矩形板状に形成されたプリント基板２４１ａからなり、プリント基板２４１ａには、少なくともＬＥＤ２２２の点灯電力を生成するための電子部品（例えばトランスやダイオード、コンデンサなど）２４１ｂが実装されている。
【００３３】
収納ケース２４２は、図３に示すように、一面（取付部材２１の底面部２１１との対向面）が開口し且つ前後方向に長い矩形箱状に形成されている。この収納ケース２４２は、開口側が取付部材２１の底面部２１１と対向するようにして、例えばねじなどを用いて取付部材２１の側面部２１２に取り付けられる。
【００３４】
ここで、図１（ａ）及び図２（ｂ）は係止金具２６の引掛部２６１ａを保持金具２７の挿通孔２７１ａの開口端縁に引っ掛け、光源ユニット２を器具本体１に仮保持させた状態である。このとき、係止金具２６は、取付部材２１に対して左側に最も引き出された状態にあり、突起部２６２ａは第１係合孔２５１ｂに係合している（図１（ａ）及び図１（ｃ）参照）。
【００３５】
そして、この状態から引掛部２６１ａ側を回動中心として光源ユニット２を反時計回りに回動させると、係止ばね２８が器具本体１に設けた係止部（図示せず）に係合し、光源ユニット２が器具本体１に取り付けられる（図１（ｂ）参照）。このとき、係止金具２６は、挿通孔２７１ａを通して側面部１２に当接し、側面部１２からの反力により突起部２６２ａと第１係合孔２５１ｂの係合状態が解除され、係止金具２６が右方向へ移動する。
【００３６】
光源ユニット２が器具本体１に取り付けられた状態では、取付部材２１に対して係止金具２６が最も引っ込められており、突起部２６２ａは第２係合孔２５１ｃに係合している（図１（ｂ）参照）。
【００３７】
次に、光源ユニット２の組立手順について説明する。まず最初に、作業者は、電源装置２４を取付部材２１の底面部２１１の上面に固定し、さらに上記係止爪により２枚の基板２２，２２を取付部材２１の底面部２１１の下面に固定する。その後、作業者は、基板２２のコネクタ２２３から導出する電線を取付部材２１の底面部２１１に設けた孔２１１ａに通し、その端部を電源装置２４に接続する。
【００３８】
そして最後に、作業者は、開口側を上向きにした状態でカバー部材２３を取付部材２１に組み付ける。このとき、各脚部２３３の引掛部２３３ａが対応する側面部２１２の突部２１２ａと係合する。上述の手順により、光源ユニット２が組み立てられる。
【００３９】
続けて、照明器具Ａの施工手順について説明する。まず最初に、作業者は、天井裏に先行配線された電源線（図示せず）を器具本体１の突台部１１１の孔（図示せず）に通した後、天井材１００より露出する吊ボルト（図示せず）を突台部１１２の孔（図示せず）に通す。さらに、作業者は、吊ボルトにナット（図示せず）をねじ込んで器具本体１を天井材１００に固定する。
【００４０】
その後、作業者は、上記電源線の端部を端子台に接続し、さらに端子台と電源装置２４の間を電線により接続する。そして最後に、作業者は、係止金具２６の引掛部２６１ａを保持金具２７の挿通孔２７１ａの開口端縁に引っ掛けた後、引掛部２６１ａ側を回動中心して光源ユニット２を回動させ、係止ばね２８を器具本体１の係止部に係合させる。これにより、光源ユニット２が器具本体１に取り付けられ、照明器具Ａの施工が完了する。
【００４１】
上述のように、光源ユニット２を器具本体１に取り付ける際には、係止金具２６が器具本体１の側面部１２に当接し、側面部１２からの反力により取付部材２１に対して最も引き出された第１位置から最も引っ込められた第２位置まで係止金具２６が移動する。そのため、係止金具２６を逃がすためのスペースを小さくでき、これにより器具本体１が幅方向に長くなるのを抑えることができる。
【００４２】
また、器具本体１の幅寸法を抑えることで、ＬＥＤ２２２からの光が届きにくいカバー部材２３の延出部２３２の幅寸法を小さくできる。さらに、光源ユニット２を器具本体１に仮保持させた状態では突起部２６２ａが第１係合孔２５１ｂに係合し、光源ユニット２を器具本体１に取り付けた状態では突起部２６２ａが第２係合孔２５１ｃに係合する。これにより、各状態において係止金具２６が幅方向にスライドするのを抑えることができる。
【符号の説明】
【００４３】
１  器具本体
２  光源ユニット
１２  側面部（当接部）
１３  凹部
２１  取付部材
２２  基板
２６  係止金具
２７  保持金具
１００  天井材（造営材）
２１１  底面部（ベース）
２２２  ＬＥＤ（発光素子）
２６１ａ  引掛部
２７１ａ  挿通孔
【図１】
2014179208.tif 000003
【図２】
2014179208.tif 000004
【図３】
2014179208.tif 000005